(57)【要約】  【課題】  ペットボトルの口部に直接唇を当てて内容物を飲むとき、内容物をこぼしたりむせたりしないような飲みやすいペットボトルを提供する。  【解決手段】  口部１の周壁１Ａに給気用の小孔３が穿孔されたペットボトルにおいて、口部１の小孔３の下方の周壁１Ａの内周面に勾配をつけて隆起した環状の隆起部４を設け、キャップ７を口部１に螺着させたとき内筒９が小孔３を塞ぐとともに、内筒９の下端部９Ａの外周面と隆起部４の内周面とが圧接してペットボトルの気密を確保し、隆起部４より下方の外周面に突出した環状のフランジ５の外周上に凸形状又は凹形状の小孔位置案内指示部を設け、当該小孔位置案内指示部を指で触ることにより小孔３のある方向が分かり、ペットボトルを傾けて内容物を飲むとき小孔３を上側に向けることにより小孔３から外気が給気されるため唇を口部１から離すことなく内容物を容易に飲むことができる。【選択図】  図１
2008013228.tif 000002
【特許請求の範囲】
【請求項１】
筒状のキャップを螺着して閉栓する口部の周壁に給気用の小孔が穿孔されたペットボトルにおいて、前記口部の小孔の下方の前記周壁の内周面にゆるやかな勾配をつけて隆起した環状の隆起部を設け、前記キャップは底部、外筒、中筒及び内筒とを有しており、前記外筒には前記口部に螺合するめねじが形成されており、前記キャップを前記口部に螺着させたとき、前記キャップの前記底部の内側の面が前記口部の上端面と圧接し、かつ前記中筒と内筒とが前記口部の上端部を挟み込むことにより閉栓するとともに、前記内筒が前記給気用の小孔を塞ぎ、更に前記内筒の下端部の外周面と前記隆起部の勾配のある内周面とが圧接してペットボトルの気密を確保することを特徴とするペットボトル。
【請求項２】
前記口部の隆起部より下方で前記周壁の外周面に環状に突出したフランジが設けられており、当該フランジの外周上で前記小孔の位置と縦に一直線上となる位置に凸形状又は凹形状の小孔位置案内指示部を設けたことを特徴とする請求項１記載のペットボトル。
【発明の詳細な説明】
【技術分野】
【０００１】
本発明は、飲みやすくするペットボトルに関するものである。
【背景技術】
【０００２】
従来のペットボトルは、その口部に直接唇をあてて内容物を飲むとき、ペットボトル内に負圧が生ずるため、口部と唇とを一部離すなどしてペットボトル内に空気を入れながら飲まなければならず、内容物をこぼしたりむせたりして飲みづらかった。
【０００３】
この対策としては、特許文献１により、従来の小型ペットボトルの筒状の開口部を１０ｍｍ程度長くして、開口部側面の中間のネジ切りの谷部分に通気孔を穿孔するという考案が開示されている。
【０００４】
また、特許文献２により、ペットボトルの飲み口付近に小さな給気穴を設けることにより、口飲みで吸引した分外気が給気されるので、飲みやすいだけでなく連続飲みが容易となるという考案が開示されている。
【０００５】
【特許文献１】実用新案登録第３０７７３３０号公報
【特許文献２】実用新案登録第３０８５１３６号公報
【発明の開示】
【発明が解決しようとする課題】
【０００６】
しかし、特許文献１及び特許文献２のいずれにおいても、口部に給気用の小孔を穿孔してはいるが、キャップを口部に螺着するペットボトルの構成は開示されておらず、仮にキャップを螺着できたとしてもペットボトル内の気密を確保する構成の示唆もない。このため、内容物を充填した場合に、特にペットボトルを横にしたり圧力を加えたりした場合には内容物が漏出してしまうことから、内容物を充填した商品として出荷することができない。
【０００７】
本発明は、上記問題点を解消し、ペットボトルの口部に直接唇を当てて内容物を飲む場合に飲みやすくするということを目的とする。
【課題を解決するための手段】
【０００８】
この課題を解決するための請求項１の発明は、筒状のキャップを螺着して閉栓する口部の周壁に給気用の小孔が穿孔されたペットボトルにおいて、前記口部の小孔の下方の前記周壁の内周面にゆるやかな勾配をつけて隆起した環状の隆起部を設け、前記キャップは底部、外筒、中筒及び内筒とを有しており、前記キャップを前記口部に螺着させたとき、前記キャップの底部の内側の面が前記口部の上端面と圧接し、かつ前記中筒と内筒とが前記口部の上端部を挟み込むことにより閉栓するとともに、前記内筒が前記給気用の小孔を塞ぎ、更に前記内筒の下端部の外周面と前記隆起部の勾配のある内周面とが圧接してペットボトルの気密を確保する。
【０００９】
また、請求項２の発明は、前記口部の隆起部より下方で前記周壁の外周面に環状に突出したフランジが設けられており、当該フランジの外周上で前記小孔の位置と縦に一直線上となる位置に凸形状又は凹形状の小孔位置案内指示部を設け、当該小孔位置案内指示部を指で触ることにより小孔のある方向を知ることができるため、ペットボトルを開栓し傾けて内容物を飲むとき、前記小孔を上側に向けて飲むことにより小孔から外気が給気されるので、唇を口部から離すことなく内容物を容易に飲むことができる。
【発明の効果】
【００１０】
本発明は、上記のように、口部の周壁に給気用の小孔が穿孔されたペットボトルにおいても気密を確保しているため、内容物を充填して商品として出荷できる。
【００１１】
本発明は、ペットボトルを開栓し傾けてその口部に直接唇を当てて内容物を飲む場合に、小孔位置案内指示部を指で触って小孔を上側に向けて飲むことにより小孔から外気が給気されるので、唇を口部から離すことなく飲むことができるため飲みやすく、連続飲みすることもできる。
また、目の見えない人や暗闇においても、さらに横臥状態においても小孔位置案内指示部を指で触って小孔を上側に向けることができるため、内容物を容易に飲むことができる。
【００１２】
本発明は、消費者が商品として使用した後に水筒のように再利用する場合においてもペットボトルの気密が確保されるため、飲みやすい水筒として再利用することができる。
【発明を実施するための最良の形態】
【００１３】
本発明の実施の形態について、図を参照して以下説明する。
【００１４】
図１および図２において、ペットボトルの口部１はキャップ７が螺着して閉栓される。前記口部１の周壁１Ａの外周の表面には上端から下方へ第１ねじ山２Ａと第２ねじ山２Ｂが形成されている。前記口部１の周壁１Ａには給気用の小孔３が穿孔されている。
この場合、小孔３は前記口部１の第１ねじ山２Ａと第２ねじ山２Ｂとの間の谷部に穿孔すれば、小孔３が上側になるようにしてペットボトルを傾けて口部１に直接唇を当てて内容物を飲むとき、唇は前記第１ねじ山２Ａにより遮られて小孔３を塞がないため小孔３から外気が給気される。
【００１５】
前記口部１の小孔３の下方の前記周壁１Ａの内周面に、ゆるやかな勾配をつけて隆起した環状の隆起部４を設けている。
【００１６】
前記キャップ７は下端が開口した有底で、底部の他に外筒８、中筒８Ａ及び内筒９とを有しており、外筒８の内周面には前記口部１の第１ねじ山２Ａと第２ねじ山２Ｂに螺合するようめねじが形成されている。
キャップ７を口部１に螺着することによりキャップ７の底部が口部１の上端面と圧接し、かつ中筒８Ａと内筒９とが口部１の上端部を挟み込むことにより閉栓するとともに、内筒９が給気用の小孔３を塞ぎ、更に内筒９の下端部９Ａと前記隆起部４とが圧接してペットボトルの気密を確保している。
すなわち、キャップ７の底部の内側の面が口部１の上端面と圧接するとともに、前記中筒８Ａと内筒９とが口部１の上端部と嵌合して圧接を確実にし、前記内筒９の外周面と前記周壁１Ａの内周面とが密接して小孔３を塞ぐようにし、更に前記隆起部４が内側に最も隆起した部分の内径を前記内筒９の下端部９Ａの外径より僅かに小さくして、キャップ７を口部１に螺着したときプラスチックの弾性を利用して勾配のある隆起部４の内周面と内筒９の下端部９Ａの外周面とが強く圧接するようにし、ペットボトルの内圧が変化した場合においても確実に気密を確保する。
なお、口部１及びキャップ７は、いずれもプラスチックで形成されている。
【００１７】
図１において、前記吸気用の小孔３を前記口部１の上端から下方の第１ねじ山２Ａと第２ねじ山２Ｂとの間の谷部に穿孔し、キャップ７を口部１に螺着して閉栓したとき前記内筒９により小孔３を塞ぐようにするが、この場合、小孔３の中心の位置は口部１の上端から下方に約５ミリメートルであり、前記小孔３の大きさは直径約２ミリメートルが最適でこれより大きすぎても小さすぎても飲みにくい。このため、前記キャップ７の内筒９の上下方向の長さは約１０ミリメートルあればよい。
【００１８】
図１及び図２において、前記口部１の周壁１Ａの前記隆起部４より下方の外周面に環状に突出したフランジ５が設けられており、当該フランジ５の外周上の尖端部で前記小孔の位置と縦に一直線上となる位置に凸形状の小孔位置案内指示凸部６Ａを設けている。当該小孔位置案内指示凸部６Ａの大きさは、前記フランジ５の外周を指で触ったとき小孔位置案内指示凸部６Ａの存在が分かる程度の大きさでよい。利用者は、当該小孔位置案内指示凸部６Ａに指を触れることにより小孔３の位置を知り、小孔３が上側になるようにペットボトルを傾けて内容物を飲むことができる。
【００１９】
また、図３においては、前記小孔位置案内指示凸部６Ａに代えて、前記フランジ５に切り込みを入れた凹形状の小孔位置案内指示凹部６Ｂを設けている。この場合、凹形状の切り込みの大きさは、前記小孔位置案内指示凸部６Ａの場合と同様に、フランジ５の外周を指で触ったとき小孔位置案内指示凹部６Ｂの存在が分かる程度の大きさでよい。
【産業上の利用可能性】
【００２０】
本発明に係るペットボトルは、工業的に量産することが可能であるため、産業上の利用可能性を有する。
【図面の簡単な説明】
【００２１】
【図１】本発明の実施の形態を示す主要部の縦断面図である。
【図２】同上の斜視図である。
【図３】本発明の異なる実施の形態を示す斜視図である。
【符号の説明】
【００２２】
１  口部
１Ａ  周壁
２Ａ  第１ねじ山
２Ｂ  第２ねじ山
３  小孔
４  隆起部
５  フランジ
６Ａ  小孔位置案内指示凸部
６Ｂ  小孔位置案内指示凹部
７  キャップ
８  外筒
８Ａ  中筒
９  内筒
９Ａ  下端部
【図１】
2008013228.tif 000003
【図２】
2008013228.tif 000004
【図３】
2008013228.tif 000005